(57)【要約】      （修正有）【課題】回転移動キャスターを備えたスーツケースを提供する。【解決手段】ケース体１と、回転移動キャスター２と、を備える。ケース体１の底板と、裏板の接続場所がケース体１の内側に引き込んで逃げ面を設け、回転移動キャスター２をケース体１の２つの側板１５に設け、キャスター座２１と、キャスター座２１の外縁に設けるタイヤ２２を有しており、キャスター座２１を偏心して側板１５に枢椄して、逃げ面の付近場所に取り付け、タイヤ２２一側の外縁がケース体１の逃げ面から露出され、回転移動キャスター２をケース体１の両側に取り付けることによって、回転移動自在でケース体１に寄せ付けるか、またはケース体１外部に移動することができ、利用者が収納または引きずって階段と平らでない地面で走行することができる。【選択図】図１
0003217295.tif 000002
【実用新案登録請求の範囲】
【請求項１】
ケース体（１）と、回転移動キャスター（２）とを備えた回転移動キャスターを備えたスーツケースであって、
前記ケース体（１）は、縁部が互いに接続された裏板（１１）と、表板（１２）と、底板（１３）と、天板（１４）と、２つの側板（１５）によって組み合わせられ、かつ、底板（１３）と、裏板（１１）との接続場所がケース体（１）内側に引き込んで逃げ面（１６）を形成し、
前記回転移動キャスター（２）を前記ケース体（１）の２つの側板（１５）に設け、キャスター座（２１）と、前記キャスター座（２１）の外縁に枢設されたタイヤ（２２）を有し、前記キャスター座（２１）を偏心して側板（１５）に枢椄し、前記逃げ面（１６）の付近部に取り付け、タイヤ（２２）一側の外縁が前記ケース体（１）の前記逃げ面（１６）より露出し、前記キャスター座（２１）を偏心して前記側板（１５）に枢椄することによって、前記キャスター座（２１）が回転移動して、前記表板（１２）に近づけるかまたは引き離すことを特徴とする、回転移動キャスターを備えたスーツケース。
【請求項２】
前記ケース体（１）の前記側板（１５）に、枢椄孔（１５１）と、前記枢椄孔（１５１）を離れた前記底板（１３）の側面にアーチ形案内溝（１５２）を設けられ、前記側板（１５）は、前記案内溝（１５２）両端の底面にそれぞれ第１固定孔（１５３）と、第２固定孔（１５４）を設け、前記第１固定孔（１５３）を前記表板（１２）の付近部に取り付け、前記第２固定孔（１５４）を前記裏板（１１）の付近部に取り付け、前記キャスター（２）の前記回転移動キャスター座（２１）の側面に偏心軸（２１１）が延在され、前記偏心軸（２１１）を前記枢椄孔（１５１）に枢椄し、前記キャスター座（２１）は、前記偏心軸（２１１）の他側に位置決め装置（３）を設け、前記位置決め装置（３）は、前記キャスター座（２１）に接続する固定板（３１）を有し、前記固定板（３１）の一側に固定柱（３２）を延在し、前記固定柱（３２）を前記キャスター座（２１）に通して末端部を案内溝（１５２）に収容させ、前記キャスター座（２１）を回転して、前記表板（１２）に近寄せたとき、前記固定柱（３２）の末端部が第１固定孔（１５３）に固定され、前記キャスター座（２１）を回転して前記表板（１２）を引き離したとき、前記固定柱（３２）の末端部が前記第２固定孔（１５４）に固定されることを特徴とする、請求項１記載の回転移動キャスターを備えたスーツケース。
【請求項３】
前記キャスター座（２１）に通リ孔（２１２）と、移動制限孔（２１３）を設けられ、前記位置決め装置（３）の前記固定柱（３２）を通リ孔（２１２）に貫くことによって、末端部を前記案内溝（１５２）に収容し、前記位置決め装置（３）の前記固定板（３１）の一側に移動制限柱（３３）を延在し、前記移動制限柱（３３）が移動制限孔（２１３）に位置し、前記位置決め装置（３）は、前記移動制限柱（３３）に弾性素子（３４）を設け、前記固定板（３１）が前記キャスター座（２１）を引き離す方向に移動するときに戻り力量を発生され、前記移動制限柱（３３）の末端部にストッパー（３５）を設けて、前記移動制限柱（３３）が前記移動制限孔（２１３）より引き離すことを防げることを特徴とする、請求項２記載の回転移動キャスターを備えたスーツケース。
【請求項４】
前記ケース体（１）の側板（１５）に設けられた枢椄孔（１５１）と、前記第２固定孔（１５４）２つの軸心の接続線が前記底板（１３）と平行することを特徴とする、請求項２記載の回転移動キャスターを備えたスーツケース。
【考案の詳細な説明】
【技術分野】
【０００１】
本考案は特にスーツケースのキャスターを回転移動させて、スーツケースから引き離すか、または近寄せることができ、様々な路面状況に適用できると共に、スペースを取らない回転移動キャスターを備えたスーツケースに関する。
【背景技術】
【０００２】
スーツケースの底部にキャスターを取り付けて、利用者が押し込んで走行するか、または引きずって走行することができる。現在はスーツケース全体体積の軽減を図るため、キャスターは比較的径の小さいものが採用されている。
【考案の概要】
【考案が解決しようとする課題】
【０００３】
しかし、この種の径の小さいキャスターが平らでない地面（例えば、地面の裂け目または石畳道）で走行すると、キャスターが引っかかって走行できない問題が起きる。さらに、スーツケースを階段で走行するときは、利用者がスーツケースを持ち上げて移動させなければならない。
【０００４】
一方、径の大きいキャスターを使用すれば、平らでない地面または階段でスーツケースを引きずって走行できる。しかし、スーツケース全体の体積が大きくなるのみならず、支点がスーツケース内側の付近場所に設けているため、スーツケースは転倒しやすい、収納不便といった問題に遭遇される。
【課題を解決するための手段】
【０００５】
本考案の主な目的は、回転移動キャスターをケース体の両側に取り付けて、回転移動自在にケース体の内側に寄せ付けるか、またはケース体の外部に移動させて、利用者の収納または階段または平らでない地面での走行に便利を提供できる。
【０００６】
前述目的を達成するため、本考案の回転移動キャスターを備えたスーツケースは、ケース体と、回転移動キャスターと、を備える。ケース体は、縁部が互いに接続された裏板、表板と、底板と、天板と、２つの側板によって組み合わされる。底板と、裏板との接続場所が箱体の内側に引き込んで逃げ面を形成し、回転移動キャスターは、キャスター座と、キャスター座の外縁部に枢設されるタイヤを有し、キャスター座を偏心して側板に枢椄していて、かつ、逃げ面の付近部に取り付けられ、タイヤ一側の外縁部をケース体の逃げ面より露出されている。
【０００７】
キャスター座を偏心して側板に枢椄することによって、収納または平の地面で引きずって走行するとき、キャスター座が回転移動し表板に近寄せて、タイヤが逃げ面より露出する部分を少なくさせ、階段または平らでない地面で引きずって走行するとき、キャスター座が回転移動し表板を引き離して、タイヤが逃げ面より露出する部分を増やせる。
【図面の簡単な説明】
【０００８】
【図１】本考案の立体外観図である。
【図２】本考案の回転移動キャスターがケース体内側に寄せ付けた態様を示す図である。
【図３】本考案の回転移動キャスターをケース体の外部に移動を示す図である。
【図４】本考案の回転移動キャスターを階段で引きずって走行の態様図である。
【図５】本考案の回転移動キャスターがケース体内側に寄せ付けた立体断面図である。
【図６】本考案の回転移動キャスターがケース体内側に寄せ付けた断面図である。
【図７】本考案の回転移動キャスターと、ケース体の立体分解図である。
【図８】本考案の位置決め装置と、回転移動キャスターの立体分解図である。
【図９】本考案の位置決め装置によって、回転移動キャスターの位置固定が解除された態様を示す図である。
【図１０】本考案の回転移動キャスターの回動及び位置固定を示す図である。
【図１１】本考案の回転移動キャスターがケース体の外部に移動された立体断面図である。
【図１２】本考案の回転移動キャスターをケース体の外部に移動された断面図である。
【考案を実施するための形態】
【実施例】
【０００９】
図１ないし図４を参照する。本考案はケース体１と、回転移動キャスター２と、位置決め装置３と、を備える。
【００１０】
そのうち、ケース体１は、縁部が互いに接続された裏板１１と、表板１２と、底板と１３、天板１４と、２つの側板１５によって組み合わされる。さらに、底板１３と、裏板１１との接続場所がケース体１の内側に引き込んで逃げ面１６を設けられ、裏板１１にキャリーハンドル１７を設けられ、本考案において、逃げ面１６はアーチ形で設けられている。
【００１１】
回転移動キャスター２をケース体１の２つの側板１５に設け、キャスター座２１と、キャスター座２１の外縁に枢設するタイヤ２２とを有し、キャスター座２１を偏心して側板１５に枢椄して逃げ面１６の付近部に取り付け、タイヤ２２の一側の外縁をケース体１の逃げ面１６より露出し、キャスター座２１を偏心して側板１５に枢椄することによって、キャスター座２１が回転して、表板１２に近づけるかまたは引き離せることができる。
【００１２】
位置決め装置３を回転移動キャスター２のキャスター座２１に設けて、キャスター座２１がケース体１上の位置を固定することができる。
【００１３】
利用者がスーツケースを収納するときは、図に示すように、キャスター座２１を回転して、表板１２に近寄せた上、位置決め装置３を利用して、キャスター座２１をケース体１に位置固定させる。このときはタイヤ２２の僅かな部分がケース体１の逃げ面１６より露出しており、利用者が底板１３を地面に当接させて、スーツケースを立たせることができる。さらに、スーツケースを引きずって走行するときは、キャリーハンドル１７を引き上げてケース体１をやや傾斜させて、逃げ面１６より露出したタイヤ２２を地面に接触させれば良い。
【００１４】
一方、利用者がスーツケースを階段または平らでない地面で引きずって走行するときは、図３と図４に示すように、キャスター座２１を回転移動して表板１２から引き離すと共に、位置決め装置３によって、キャスター座２１をケース体１位置に固定させて、より多い部分のタイヤ２２をケース体１の逃げ面１６より露出させる。さらに、キャスター座２１を回転移動して表板１２より引き離した後、支点が外側に移動されるため、ケース体１を立てたときに傾倒しにくい。
【００１５】
引き続き、図５ないし図８を参照する。ケース体１の側板１５に枢椄孔１５１と、枢椄孔１５１が底板１３を離れた側面のアーチ形案内溝１５２とを有し、側板１５が案内溝１５２両端の底面にそれぞれ第１固定孔１５３と、第２固定孔１５４を設け、第１固定孔１５３が表板１２の付近場所にあり、第２固定孔１５４が裏板１１の付近場所にあり、かつ、枢椄孔１５１と、第２固定孔１５４の２つの接続線が底板１３に平行しており、回転移動キャスター２のキャスター座２１に通リ孔２１２と、移動制限孔２１３を設け、キャスター座２１の側面に偏心軸２１１を延在され、偏心軸２１１が枢椄孔１５１に枢椄していて、かつ、キャスター座２１が偏心軸２１１の他側に位置決め装置３を設け、位置決め装置３は固定板３１に接続するキャスター座２１を有し、固定板３１の一側に固定柱３２を延在し、固定柱３２が通リ孔２１２を通して、末端部を案内溝１５２に収容させる。
【００１６】
さらに、位置決め装置３の固定板３１の一側に移動制限柱３３が延在し、移動制限柱３３がキャスター座２１の移動制限孔２１３に位置していて、かつ、位置決め装置３が移動制限柱３３に弾性素子３４を設けることによって、固定板３１がキャスター座２１を引き離す方向に移動する際に戻り力量が発生される。それに加えて、移動制限柱３３の末端部に係止部材３６を用いてストッパー３５を固定して置き、移動制限柱３３が移動制限孔２１３より引き離すことを防いで置く。
【００１７】
引き続き、図５と図６に示すように、キャスター座２１を表板１２に近寄せたとき、固定柱３２の末端部が第１固定孔１５３に固定され、回転して表板１２を引き離す場合は、図９ないし図１２に示すように、まず、固定板３１をキャスター座２１の方向に移動するように引き離し、固定柱３２の末端部が第１固定孔１５３より引き離されて、キャスター座２１を継続に回転させて、固定柱３２が第２固定孔１５４と位置合わせたとき、固定板３１の移動によって発生した戻り力量が固定板３１を連動して、キャスター座２１に向かって移動し、固定柱３２の末端部を第２固定孔１５４に進入して固定態様を形成する。
【符号の説明】
【００１８】
１      ケース体
１１    裏板
１２    表板
１３    底板
１４    天板
１５    側板
１５１  枢椄孔
１５２  案内溝
１５３  第１固定孔
１５４  第２固定孔
１６    逃げ面
１７    キャリーハンドル
２      回転移動キャスター
２１    キャスター座
２１１  偏心軸
２１２  通リ孔
２１３  移動制限孔
２２    タイヤ
３      位置決め装置
３１    固定板
３２    固定柱
３３    移動制限柱
３４    弾性素子
３５    ストッパー
３６    係止部材
【図１】
0003217295.tif 000003
【図２】
0003217295.tif 000004
【図３】
0003217295.tif 000005
【図４】
0003217295.tif 000006
【図５】
0003217295.tif 000007
【図６】
0003217295.tif 000008
【図７】
0003217295.tif 000009
【図８】
0003217295.tif 000010
【図９】
0003217295.tif 000011
【図１０】
0003217295.tif 000012
【図１１】
0003217295.tif 000013
【図１２】
0003217295.tif 000014